(57)【要約】【課題】従来のツイスト運動器具では座位式ツイスト運動しかできず、構造が複雑で、安全性が低く、人体工学的に好ましくなく、製造コストが高い問題点を改善するツイスト運動器具を提供する。【解決手段】ツイスト運動器具は、ベース１、第１の揺動モジュール２及び第２の揺動モジュール３を備える。ベース１は、台座１０と、台座１０上に設けられた第１の軸部材１１、第２の軸部材１２及びストッパ１３とを有する。第１の揺動モジュール２は、第１のセクター歯車２０、シート２１及びフートレスト杆２２を有する。第１のセクター歯車２０は、第１の軸部材１１上に回動可能に結合する第１の軸スリーブ２３を有する。第２の揺動モジュール３は、第２のセクター歯車３０及びアームレスト３１を有する。第２のセクター歯車３０は、第２の軸部材１２上に回動可能に結合する第２の軸スリーブ３２を有するとともに、第１のセクター歯車２０と噛合する。【選択図】図１
0003217198.tif 000002
【実用新案登録請求の範囲】
【請求項１】
ベース、第１の揺動モジュール及び第２の揺動モジュールを備えたツイスト運動器具であって、
前記ベースは、台座と、前記台座上に設けられた第１の軸部材、第２の軸部材及びストッパと、を有し、
前記第１の揺動モジュールは、第１のセクター歯車、シート及びフートレスト杆を有し、前記第１のセクター歯車は、前記第１の軸部材上に回動可能に結合する第１の軸スリーブを有し、前記ストッパは、前記第１のセクター歯車の揺動角度を所定範囲内に制限し、前記シートが前記第１の軸スリーブの頂端に連結固定され、ユーザがその上に座るか立ち、前記フートレスト杆は、前記第１の軸スリーブの一側面に一端が連結固定され、上方に延びた延伸部が他端に延設され、前記延伸部の末端は、横方向で踏杆に結合され、前記踏杆の高さが前記シートより高く、
前記第２の揺動モジュールは、第２のセクター歯車及びアームレストを有し、前記第２のセクター歯車は、前記第２の軸部材上に回動可能に結合する第２の軸スリーブを有するとともに、前記第１のセクター歯車と噛合し、前記アームレストは、横杆、立管及び手すりを有し、前記横杆の一端は、前記第２の軸スリーブの一側面上に連結固定され、前記立管の下端は、前記横杆の他端に結合され、前記手すりは、ユーザが両手で把持することができるとともに、下向きに延びた伸縮杆が中央部に延設され、前記伸縮杆の下端は、伸縮長さが調整可能に前記立管の上端に結合され、ユーザが前記シート上に立ったときに両手で把持し易い高さに前記手すりを調整し得ることを特徴とするツイスト運動器具。
【請求項２】
前記台座は、複数のベースバーにより構成されたエ字状ベースからなることを特徴とする請求項１に記載のツイスト運動器具。
【請求項３】
前記ストッパは、前記台座上に設けられたストッパ片と、前記ストッパ片にねじ止めされた第１の調整ねじ及び第２の調整ねじと、を有し、
前記第１の調整ねじ及び前記第２の調整ねじにより前記第１のセクター歯車の揺動角度を所定範囲内に制限することを特徴とする請求項１に記載のツイスト運動器具。
【請求項４】
前記アームレストは、アームレスト調整つまみを有し、
前記アームレスト調整つまみは、前記立管上に設けられ、
前記伸縮杆には、複数のアームレスト調整孔が間隔をおいて縦方向に形成され、
前記アームレスト調整つまみは、前記複数のアームレスト調整孔のうちの何れか一つに選択的に挿通されて前記手すりの高さを調整し得ることを特徴とする請求項１に記載のツイスト運動器具。
【請求項５】
前記アームレストは、固定ねじ及び弾性モジュールを有し、
前記横杆の他端には、枢着部材が設けられ、
前記枢着部材には、ねじ孔が形成され、前記立管の下端は、前記枢着部材に揺動可能に枢着される上、前記立管の下端は、２つの相対する側部に貫通された穿孔を有し、前記固定ねじが前記立管の前記穿孔に挿通されて前記枢着部材の前記ねじ孔にねじ止めされており、前記立管が前記横杆の他端で揺動することを防ぎ、前記弾性モジュールが前記枢着部材と前記立管の下端との間に結合されており、前記固定ねじが前記立管の下端及び前記枢着部材から取り外されると、前記立管が前記横杆の他端で揺動可能となり、前記弾性モジュールの弾性回復力により、前記立管が前方へ揺動された後に復位することを特徴とする請求項１に記載のツイスト運動器具。
【請求項６】
前記枢着部材には、長尺状孔が形成され、
前記弾性モジュールは、枢軸、スプリングねじ、スプリングナット及びスプリングを有し、
前記枢軸は、前記立管の下端に回動可能に結合され、
前記スプリングねじは、前記枢軸及び前記長尺状孔に挿通され、
前記スプリングナットは、前記スプリングねじの端部にねじ止めされ、
前記スプリングは、前記スプリングねじ上に嵌設され、一端が前記枢着部材に当接され、他端が前記スプリングナットに当接されることを特徴とする請求項５に記載のツイスト運動器具。
【請求項７】
前記立管上には、発泡体スリーブが嵌設されることを特徴とする請求項１に記載のツイスト運動器具。
【請求項８】
前記フートレスト杆は、固定管、伸縮管及びフート杆調整つまみを有し、
前記固定管の一端は、前記第１の軸スリーブの一側面上に連結固定され、
前記伸縮管は、前記固定管の他端内に一端が伸縮可能に配設され、複数のフート杆調整孔が間隔をおいて周面に形成され、
前記延伸部は、前記伸縮管の他端に設けられ、
前記踏杆は、前記延伸部の上端に横方向に結合され、
前記フート杆調整つまみは、前記固定管に結合されるとともに、前記複数のフート杆調整孔のうちの一つに選択的に挿通され、前記伸縮管を適宜な長さに位置決めすることを特徴とする請求項１に記載のツイスト運動器具。
【請求項９】
前記延伸部は円弧状であることを特徴とする請求項８に記載のツイスト運動器具。
【請求項１０】
メインハウジング及びサブハウジングをさらに備え、
前記メインハウジングにより前記ベース上が覆われると、前記第１のセクター歯車及び前記第２のセクター歯車が覆われ、
前記サブハウジングにより前記アームレストの下端が覆われることを特徴とする請求項１に記載のツイスト運動器具。
【考案の詳細な説明】
【技術分野】
【０００１】
本考案は、ツイスト運動器具に関し、特に、座位式ツイスト運動及び立位式ツイスト運動を行い、構造が簡素で、安全性が高く、人体工学的に好ましく、製造コストが安いツイスト運動器具に関する。
【背景技術】
【０００２】
従来のツイスト運動器具は、ベース上に設けられた互いに噛合する従動歯車及び能動歯車によりシート及びアームレスト機構が連動され、同期で対応してツイスト動作を行うことができるため、ユーザはシート上で上下半身の捻り動作を行い、腹部、背中部の筋群を効果的に鍛えることができた。
【０００３】
しかし、従来のツイスト運動器具は、以下（１）〜（４）の問題点を改善する必要があった。
（１）アームレスト機構中の上スリーブが、下スリーブ上での伸縮距離がばねにより制限されて小さな距離しか調整できなかったため、ユーザがシート上に立ったときにアームレストを把持し易い高さに調整することができず、立位状態でツイスト運動を行うことができず、座位状態でしかツイスト運動を行うことはできなかった。
（２）ベースが複数の枠杆により構成された枠体からなり、主動軸を枢設する固定フレームが設けられているため、ベースの構造が複雑で重く、容易に移動させることは困難であった。また、架台が伸縮可能である上、従動歯車及び能動歯車が円形に設計されていたため、材料が浪費され、構造が複雑で、製作コストが多くかかった。
（３）揺動角度を制限する構造が全く設けられていなかったため、シートとアームレストとの対応した揺動角度を正確に制御することができず、ユーザが加える力が大きすぎて上下半身の捻り動作が大きくなりすぎて、運動障害を発生させることがあり、安全性に問題があった。
（４）フートレスト杆がシート下方の非常に低い位置に設けられていたため、ユーザが両足でフートレスト杆を踏む際、両足が垂れ下がった状態となり、人体工学的に好ましくなく、トレーニング効果は好ましくなかった。
【考案の概要】
【考案が解決しようとする課題】
【０００４】
本考案の主な目的は、従来のツイスト運動器具では座位式ツイスト運動しかできず、構造が複雑で、安全性が低く、人体工学的に好ましくなく、製造コストが高い問題点を改善するツイスト運動器具を提供することにある。
【課題を解決するための手段】
【０００５】
上記課題を解決するために、本考案の第１の形態によれば、ベース、第１の揺動モジュール及び第２の揺動モジュールを備えたツイスト運動器具であって、前記ベースは、台座と、前記台座上に設けられた第１の軸部材、第２の軸部材及びストッパと、を有し、前記第１の揺動モジュールは、第１のセクター歯車、シート及びフートレスト杆を有し、前記第１のセクター歯車は、前記第１の軸部材上に回動可能に結合する第１の軸スリーブを有し、前記ストッパは、前記第１のセクター歯車の揺動角度を所定範囲内に制限し、前記シートが前記第１の軸スリーブの頂端に連結固定され、ユーザがその上に座るか立ち、前記フートレスト杆は、前記第１の軸スリーブの一側面に一端が連結固定され、上方に延びた延伸部が他端に延設され、前記延伸部の末端は、横方向で踏杆に結合され、前記踏杆の高さが前記シートより高く、前記第２の揺動モジュールは、第２のセクター歯車及びアームレストを有し、前記第２のセクター歯車は、前記第２の軸部材上に回動可能に結合する第２の軸スリーブを有するとともに、前記第１のセクター歯車と噛合し、前記アームレストは、横杆、立管及び手すりを有し、前記横杆の一端は、前記第２の軸スリーブの一側面上に連結固定され、前記立管の下端は、前記横杆の他端に結合され、前記手すりは、ユーザが両手で把持することができるとともに、下向きに延びた伸縮杆が中央部に延設され、前記伸縮杆の下端は、伸縮長さが調整可能に前記立管の上端に結合され、ユーザが前記シート上に立ったときに両手で把持し易い高さに手すりを調整し得ることを特徴とするツイスト運動器具が提供される。
【考案の効果】
【０００６】
本考案のツイスト運動器具は、従来のツイスト運動器具では座位式ツイスト運動しかできず、構造が複雑で、安全性が低く、人体工学的に好ましくなく、製造コストが高い問題点を改善することができる。
【図面の簡単な説明】
【０００７】
【図１】図１は、本考案の一実施形態に係るツイスト運動器具を示す分解斜視図である。
【図２】図２は、本考案の一実施形態に係るツイスト運動器具を示す斜視図である。
【図３】図３は、本考案の一実施形態に係るツイスト運動器具を示す上面図である。
【図４】図４は、本考案の一実施形態に係るツイスト運動器具を示す断面図である。
【図５】図５は、本考案の一実施形態に係るツイスト運動器具のアームレストの高さを調整する状態の説明図である。
【図６】図６は、本考案の一実施形態に係るツイスト運動器具を用いてツイスト動作を行う際にアームレストを左回転させ、シートを右回転させたときの使用状態の説明図である。
【図７】図７は、本考案の一実施形態に係るツイスト運動器具を用いてツイスト動作を行う際にアームレストを右回転させ、シートを左回転させたときの使用状態の説明図である。
【図８】図８は、本考案の一実施形態に係るツイスト運動器具のアームレストを前後に揺動させるときの使用状態の説明図である。
【図９】図９は、本考案の一実施形態に係るツイスト運動器具の使用状態の説明図である。
【考案を実施するための形態】
【０００８】
図１〜図５を参照する。図１〜図５に示すように、本考案の一実施形態に係るツイスト運動器具は、少なくともベース１、第１の揺動モジュール２及び第２の揺動モジュール３から構成されてなる。
【０００９】
ベース１は、台座１０と、台座１０上に設けられた第１の軸部材１１、第２の軸部材１２及びストッパ１３と、を含む。台座１０は、複数のベースバーにより構成されたエ字状ベースからなる。第１の軸部材１１及び第２の軸部材１２は、台座１０上に立設される。ストッパ１３は、台座１０上に設けられたストッパ片１４と、ストッパ片１４上にねじ止めされた第１の調整ねじ１５及び第２の調整ねじ１６と、を含む。
【００１０】
第１の揺動モジュール２は、第１のセクター歯車２０、シート２１及びフートレスト杆２２を含む。第１のセクター歯車２０は、第１の軸部材１１上に回動可能に結合する第１の軸スリーブ２３を有する。第１のセクター歯車２０が適宜な角度で逆時計回りに回転すると、左側が第１の調整ねじ１５により止められ、第１のセクター歯車２０が適宜な角度で時計回りに回転すると、右側が第２の調整ねじ１６により止められる。シート２１上にユーザが座るか立ち、シート２１は第１の軸スリーブ２３の頂端に結合され、第１のセクター歯車２０と同期で回転可能である。フートレスト杆２２は、固定管２４、伸縮管２５、踏杆２６及びフート杆調整つまみ２７を含む。固定管２４の一端は、第１の軸スリーブ２３の一側面上に連結固定される。伸縮管２５は、固定管２４の他端内に一端が伸縮可能に配設され、複数のフート杆調整孔２５０が間隔をおいて周面に形成される。伸縮管２５の他端には、上方へ延びた円弧状の延伸部２５１が延設されている。踏杆２６は、延伸部２５１の上端に横方向に結合され、ユーザが両足で踏めるようにシート２１より僅かに高くなっている。フート杆調整つまみ２７が固定管２４上に結合され、複数のフート杆調整孔２５０のうちの一つに選択的に挿通されると、伸縮管２５を適宜な長さに位置決めすることができる。
【００１１】
第２の揺動モジュール３は、第２のセクター歯車３０及びアームレスト３１を含む。第２のセクター歯車３０は、第２の軸部材１２上に回動可能に結合する第２の軸スリーブ３２を有するとともに、第１のセクター歯車２０と噛合する。アームレスト３１は、横杆３３、立管３４及び手すり３５を含む。横杆３３の一端は、第２の軸スリーブ３２の一側面上に連結固定される。立管３４は、下端が横杆３３の他端に結合されるとともに、発泡体スリーブ３４０が嵌設される。手すり３５は、ユーザが両手で把持することができるとともに、下向きに延びた直立状の伸縮杆３６が中央部に延設されている。伸縮杆３６の下端は、伸縮長さが調整可能に立管３４の上端に結合され、ユーザがシート２１上に立ったときに、両手で把持し易い高さに手すり３５を調整することができる。
【００１２】
図５を参照する。図５に示すように、アームレスト３１は、アームレスト調整つまみ３７を含む。アームレスト調整つまみ３７は、立管３４上に設けられる。伸縮杆３６には、複数のアームレスト調整孔３６０が間隔をおいて形成される。アームレスト調整つまみ３７は、複数のアームレスト調整孔３６０のうちの何れか一つに選択的に挿通され、手すり３５の高さを調整することができる。このように、ユーザがシート２１上に座って両腕を凭れ掛けることができる高さに調整して座位式ツイスト運動を行ったり、ユーザがシート２１上に立って両手で把持し易いように手すり３５の高さを調整して立位式ツイスト運動を行ったりすることもできる。
【００１３】
図６を参照する。図６に示すように、手すり３５が左方向へ揺動されると、第２のセクター歯車３０が逆時計回りに回転し、第１のセクター歯車２０が第２のセクター歯車３０により時計回りに回転されると、シート２１及びフートレスト杆２２が右方向に揺動される。そのため、ユーザの上半身を左方向へ捻ると同時に下半身を右方向へ捻ることができる。第１のセクター歯車２０が時計回りに適宜な角度で回転すると、右側が第２の調整ねじ１６により止められて上下半身の揺動角度が大きすぎて運動障害を起こすことを防ぐ。また、上述の揺動角度は、第２の調整ねじ１６を回すことにより調整することができる。
【００１４】
図７を参照する。図７に示すように、手すり３５が右方向へ揺動されると、第２のセクター歯車３０が時計回りに回転し、第１のセクター歯車２０が第２のセクター歯車３０により時計回りに回転されると、シート２１及びフートレスト杆２２が左方向に揺動される。そのため、ユーザの上半身を右方向へ捻ると同時に下半身を左方向へ捻ることができる。第１のセクター歯車２０が適宜な角度で逆時計回りに回転すると、左側が第１の調整ねじ１５により止められ、上下半身の揺動角度が大きすぎて運動障害を起こすことを防ぐ。また、第１の調整ねじ１５を回して上述の揺動角度を調整することができる。
【００１５】
このように、上述した図６及び図７の動作を繰り返し行い、ツイスト運動を行って腹部、背中部の筋群を鍛えることができる。
【００１６】
図４及び図８を参照する。図４及び図８に示すように、アームレスト３１は、固定ねじ３８及び弾性モジュール３９を含む。横杆３３の他端は、枢着部材３３０を有する。枢着部材３３０には、ねじ孔３３１が形成されている。立管３４の下端は、枢着部材３３０に揺動可能に枢着される上、２つの相対する側部に貫通された穿孔３４１を有する。固定ねじ３８が立管３４の穿孔３４１に挿通されて枢着部材３３０のねじ孔３３１にねじ止めされているため、立管３４が横杆３３の他端で揺動することを防ぐことができる。弾性モジュール３９が枢着部材３３０と立管３４の下端との間に結合されているため、立管３４が前方へ揺動された後、弾性回復力により復位する。
【００１７】
図８を参照する。図８に示すように、枢着部材３３０には、長尺状孔３３２が形成されている。弾性モジュール３９は、枢軸３９０、スプリングねじ３９１、スプリングナット３９２及びスプリング３９３を含む。枢軸３９０は、立管３４の下端に回動可能に結合される。スプリングねじ３９１は、枢軸３９０及び長尺状孔３３２に挿通される。スプリングナット３９２は、スプリングねじ３９１の端部にねじ止めされる。スプリング３９３は、スプリングねじ３９１上に嵌設され、一端が枢着部材３３０上に当接され、他端がスプリングナット３９２に当接される。
【００１８】
このように、固定ねじ３８を立管３４の下端及び枢着部材３３０から取り外し、ユーザが手すり３５を介して力を加えて立管３４の上端が前方へ揺動されると、スプリング３９３が圧縮される。力が加えられなくなると、スプリング３９３の弾力により立管３４が後方へ揺動して復位し、ユーザがアームレスト３１を前後方へ揺動させて船を漕ぐ動作を行うことができる。スプリングナット３９２を旋回させるとスプリング３９３の弾力を調整し、アームレスト３１を前後方へ揺動させる際の抗力を調整することができる。
【００１９】
図９を参照する。図９に示すように、実際にはメインハウジング４０によりベース１上が覆われると、セクター歯車２０，３０が覆われ、サブハウジング４１によりアームレスト３１の下端が覆われ、ユーザの衣類その他部品が内部で動作している部品に巻き込まれて危険が生じることを防ぐことができる。本実施形態のメインハウジング４０は、複数のケーシング片により構成されている。
【００２０】
本考案のツイスト運動器具は、上述したような特殊な構造設計により、以下（１）〜（４）の長所を有する。
（１）ユーザがシート２１上に座ったときに両腕を凭れさせることができるように手すり３５を調整すると、ユーザが座位式ツイスト運動を行うことができる上、ユーザがシート２１上に立ったときに両手で把持し易い高さに手すり３５を調整すると、ユーザが立位式ツイスト運動を行うことができるため、ユーザは座位式ツイスト運動及び立位式ツイスト運動を行うことができる。
（２）ベース１がエ字状の台座１０と、第１の軸部材１１、第２の軸部材１２及びストッパ１３とから構成され、第１の揺動モジュール２及び第２の揺動モジュール３が第１の軸部材１１及び第２の軸部材１２上に直接、揺動可能に結合され、全体構造が簡素で軽量であるため、搬送が容易である。特に、扇形の第１のセクター歯車２０及び第２のセクター歯車３０は、材料を節約し、製作コストを大幅に減らすことができる。
（３）ストッパ１３のストッパにより第１のセクター歯車２０の揺動角度を制限し、ユーザがツイスト運動を行うとき、上半身及び下半身の揺動角度が適宜な範囲内に制限されるため、大きな力により捻る動作が大きくなり過ぎて運動障害が起きることを防ぎ、安全性を高めることができる。
（４）フートレスト杆２２の他端が上方へ延びて形成された延伸部２５１により、踏杆２６の高さをシート２１と略同じにするかシート２１より僅かに高くし、ユーザが両足でその上を踏んだときでも垂れ下がることがないため、人体工学的に好ましくて高いトレーニング効果が得られる。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  ベース
２  第１の揺動モジュール
３  第２の揺動モジュール
１０  台座
１１  第１の軸部材
１２  第２の軸部材
１３  ストッパ
１４  ストッパ片
１５  第１の調整ねじ
１６  第２の調整ねじ
２０  第１のセクター歯車
２１  シート
２２  フートレスト杆
２３  第１の軸スリーブ
２４  固定管
２５  伸縮管
２６  踏杆
２７  フート杆調整つまみ
３０  第２のセクター歯車
３１  アームレスト
３２  第２の軸スリーブ
３３  横杆
３４  立管
３５  手すり
３６  伸縮杆
３７  アームレスト調整つまみ
３８  固定ねじ
３９  弾性モジュール
４０  メインハウジング
４１  サブハウジング
２５０  フート杆調整孔
２５１  延伸部
３３０  枢着部材
３３１  ねじ孔
３３２  長尺状孔
３４０  発泡体スリーブ
３４１  穿孔
３６０  アームレスト調整孔
３９０  枢軸
３９１  スプリングねじ
３９２  スプリングナット
３９３  スプリング
【図１】
0003217198.tif 000003
【図２】
0003217198.tif 000004
【図３】
0003217198.tif 000005
【図４】
0003217198.tif 000006
【図５】
0003217198.tif 000007
【図６】
0003217198.tif 000008
【図７】
0003217198.tif 000009
【図８】
0003217198.tif 000010
【図９】
0003217198.tif 000011